(57)【要約】【課題】多くの画像の中からの画像の検索を容易にする。【解決手段】全てのグループの代表画像が表示された代表画像表示画面において、操作者が、カーソルを５個の代表画像のいずれかの上に移動すると、カーソルのある代表画像の枠が太線に変わる。その後、カーソルが１つの代表画像中の３人のうちの中央の人物を指し示した状態でクリック操作が行われると、その１つの代表画像が指定される。すると、指定された１つの代表画像が含まれるグループに対応した文言エッセンスがスピーカーから報知されると共に、カーソルで指し示された人物の口に対応した部分が文言エッセンスにあわせて動く。【選択図】図５
2007208351.tif 000002
【特許請求の範囲】
【請求項１】
複数のグループのそれぞれに含まれる複数の画像に対応した画像データを記憶する画像データ記憶手段と、
各グループに含まれる複数の画像に関連した文言エッセンスをグループ毎に記憶する文言エッセンス記憶手段と、
前記画像データ記憶手段に記憶された画像データに対応した画像のうち、各グループの代表画像をディスプレイに表示する表示制御手段と、
前記ディスプレイに表示された複数の代表画像のうちの１つを指定する指定手段と、
文言エッセンスを音声で報知する報知手段とを備えており、
前記指定手段で１つの代表画像が指定された場合に、
前記報知手段は、前記１つの代表画像が含まれるグループに対応した文言エッセンスを音声で報知すると共に、
前記表示制御手段は、前記ディスプレイに表示された前記１つの代表画像を前記報知手段で文言エッセンスが報知される間に変化させることを特徴とする画像表示装置。
【請求項２】
前記表示制御手段は、前記ディスプレイに表示された前記１つの代表画像中の人物の口に対応した部分を前記報知手段で報知される文言エッセンスにあわせて変化させることを特徴とする請求項１に記載の画像表示装置。
【請求項３】
前記表示制御手段は、前記ディスプレイに表示された前記１つの代表画像の所定位置近傍の人物の口に対応した部分を前記報知手段で報知される文言エッセンスにあわせて変化させることを特徴とする請求項２に記載の画像表示装置。
【請求項４】
前記指定手段は、前記ディスプレイに表示された複数の代表画像のうちの１つの代表画像中の任意の部分を指し示した状態で１つの代表画像を指定するものであり、
前記表示制御手段は、前記指定手段が代表画像中の人物に対応した部分を指し示した状態で１つの代表画像を指定した場合に、前記指定手段で指し示された人物の口に対応した部分を前記報知手段で報知される文言エッセンスにあわせて変化させることを特徴とする請求項２に記載の画像表示装置。
【請求項５】
前記ディスプレイに表示された複数の代表画像のうちの１つを決定する決定手段をさらに備えており、
前記表示制御手段は、前記決定手段で１つの代表画像が決定された場合に、前記１つの代表画像に対応したグループに含まれる複数の画像を前記ディスプレイに一覧表示することを特徴とする請求項１〜４のいずれか１項に記載の画像表示装置。
【請求項６】
コンピュータを、
複数のグループのそれぞれに含まれる複数の画像に対応した画像データを記憶する画像データ記憶手段、
各グループに含まれる複数の画像に関連した文言エッセンスをグループ毎に記憶する文言エッセンス記憶手段、
報知手段によって報知される内容を制御する報知制御手段、及び、
前記画像データ記憶手段に記憶された画像データに対応した画像のうち、各グループの代表画像をディスプレイに表示する表示制御手段として機能させるための画像表示プログラムであって、
前記ディスプレイに表示された複数の代表画像のうちの１つが指定された場合に、
前記報知制御手段は、前記１つの代表画像が含まれるグループに対応した文言エッセンスを前記報知手段によって音声で報知すると共に、
前記表示制御手段は、前記ディスプレイに表示された前記１つの代表画像を前記報知手段で文言エッセンスが報知される間に変化させることを特徴とする画像表示プログラム。
【請求項７】
前記表示制御手段は、前記ディスプレイに表示された前記１つの代表画像中の人物の口に対応した部分を文言エッセンスにあわせて変化させることを特徴とする請求項６に記載の画像表示プログラム。
【発明の詳細な説明】
【技術分野】
【０００１】
本発明は、デジタルカメラ等で撮影された複数の画像を表示する画像表示装置及び画像表示プログラムに関するものである。
【背景技術】
【０００２】
近年、デジタルカメラ等の普及に伴い、多くの画像の撮影が行われた後で、全ての撮影画像がプリントされるのではなく、撮影画像の中で気に入った画像だけがプリントされることが多くなっている。ここで、撮影直後に、多くの画像の中からプリントする画像を選択する場合には、各画像の内容を記憶していることが多いので画像の選択は比較的容易である。一方、撮影日から長時間が経過すると、各画像の内容を忘れていることが多いので画像の選択は非常に困難になる。そこで、各画像の画像データと共に、画像を撮影した場所、日付、撮影対象などの撮影情報を保存しておき、これらの撮影情報が検索の際のキーワードとして利用されることがある（例えば、特許文献１参照）。この場合には、特定画像に対応した撮影情報をキーワードとして入力することによって、多くの画像の中から特定画像を容易に検索することができる。
【特許文献１】特開平７−２８７２８８号公報
【発明の開示】
【発明が解決しようとする課題】
【０００３】
しかしながら、多くの画像に関する撮影条件を全て記憶していることは困難であり、特定画像を検索する際にキーワードとして適切な撮影情報を入力することができない場合がある。この場合には、特定画像を検索するために長時間が必要となってしまう。
【０００４】
また、多くの撮影画像は、例えば旅行の行き先などによって複数のグループに分けることができる場合が多い。つまり、多くの撮影画像は、行き先ａへの旅行時に撮影された複数の画像を含むグループＡ、行き先ｂへの旅行時に撮影された複数の画像を含むグループＢなどに分けることができる。ここで、多くの撮影画像の中から行き先ａへの旅行時に撮影された画像のうちの１つの特定画像を検索する際には、全ての撮影画像の中から検索する必要はなく、グループＡに含まれる複数の画像の中から検索すれば十分である。しかし、上述したように、撮影情報をキーワードとして検索する場合には、グループに関係なく、そのキーワードに該当する画像が抽出されてしまうので、特定画像とは全く関係のない画像も抽出されることになり、特定画像の検索に長時間を要する場合がある。
【０００５】
そこで、本発明の主な目的は、多くの画像の中からの画像の検索を容易に行うことができる画像表示装置及び画像表示プログラムを提供することである。
【０００６】
また、本発明の他の目的は、アミューズメント性を付加することができる画像表示装置及び画像表示プログラムを提供することである。
【課題を解決するための手段および発明の効果】
【０００７】
本発明の画像表示装置は、複数のグループのそれぞれに含まれる複数の画像に対応した画像データを記憶する画像データ記憶手段と、各グループに含まれる複数の画像に関連した文言エッセンスをグループ毎に記憶する文言エッセンス記憶手段と、前記画像データ記憶手段に記憶された画像データに対応した画像のうち、各グループの代表画像をディスプレイに表示する表示制御手段と、前記ディスプレイに表示された複数の代表画像のうちの１つを指定する指定手段と、文言エッセンスを音声で報知する報知手段とを備えており、前記指定手段で１つの代表画像が指定された場合に、前記報知手段は、前記１つの代表画像が含まれるグループに対応した文言エッセンスを音声で報知すると共に、前記表示制御手段は、前記ディスプレイに表示された前記１つの代表画像を前記報知手段で文言エッセンスが報知される間に変化させることを特徴としている。
【０００８】
本発明の画像表示プログラムは、コンピュータを、複数のグループのそれぞれに含まれる複数の画像に対応した画像データを記憶する画像データ記憶手段、各グループに含まれる複数の画像に関連した文言エッセンスをグループ毎に記憶する文言エッセンス記憶手段、報知手段によって報知される内容を制御する報知制御手段、及び、前記画像データ記憶手段に記憶された画像データに対応した画像のうち、各グループの代表画像をディスプレイに表示する表示制御手段として機能させるための画像表示プログラムであって、前記ディスプレイに表示された複数の代表画像のうちの１つが指定された場合に、前記報知制御手段は、前記１つの代表画像が含まれるグループに対応した文言エッセンスを前記報知手段によって音声で報知すると共に、前記表示制御手段は、前記ディスプレイに表示された前記１つの代表画像を前記報知手段で文言エッセンスが報知される間に変化させることを特徴としている。
【０００９】
この構成によると、操作者は、各代表画像が含まれるグループに対応した文言エッセンスを聞くことにより、そのグループの画像の内容を確認しながら、検索対象である画像を容易に検索することができる。また、代表画像（例えば代表画像に含まれる人物の口に対応した部分）が動きながら音声ガイドをするので、画像の検索作業にアミューズメント性が付加される。従って、操作者は画像の検索を楽しんで行うことができる。また、本発明の画像表示装置は、多くの画像の中から画像を検索する場合の他に、多くの画像のうちの一部の画像を鑑賞する場合にも同様の効果を有する。
【００１０】
ここで、ディスプレイに表示された１つの代表画像を変化させるとは、１つの代表画像中の一部分だけを変化させる場合や、１つの代表画像中の複数の部分を変化させる場合を含んでいる。
【００１１】
本発明の画像表示装置では、前記表示制御手段は、前記ディスプレイに表示された前記１つの代表画像中の人物の口に対応した部分を前記報知手段で報知される文言エッセンスにあわせて変化させてもよい。
【００１２】
本発明の画像表示プログラムでは、前記表示制御手段は、前記ディスプレイに表示された前記１つの代表画像中の人物の口に対応した部分を文言エッセンスにあわせて変化させてもよい。
【００１３】
この構成によると、代表画像中の人物の画像が口を動かしながら音声ガイドをするので、まるで旅行の参加者に直接ガイドされているように感じながら、画像を検索したり、画像を鑑賞することができる。
【００１４】
本発明の画像表示装置では、前記表示制御手段は、前記ディスプレイに表示された前記１つの代表画像の所定位置近傍の人物の口に対応した部分を前記報知手段で報知される文言エッセンスにあわせて変化させてもよい。
【００１５】
この構成によると、代表画像中に複数の人物が含まれている場合に、口を動かしながら音声ガイドをする人物が自動的に決定される。
【００１６】
ここで、代表画像の所定位置は、任意に設定可能であって、例えば代表画像の中央位置、代表画像の右端位置、代表画像の左端位置などの設定が可能である。
【００１７】
本発明の画像表示装置では、前記指定手段は、前記ディスプレイに表示された複数の代表画像のうちの１つの代表画像中の任意の部分を指し示した状態で１つの代表画像を指定するものであり、前記表示制御手段は、前記指定手段が代表画像中の人物に対応した部分を指し示した状態で１つの代表画像を指定した場合に、前記指定手段で指し示された人物の口に対応した部分を前記報知手段で報知される文言エッセンスにあわせて変化させてもよい。
【００１８】
この構成によると、代表画像中に複数の人物が含まれている場合に、口を動かしながら音声ガイドをする人物を適宜決定することができる。
【００１９】
本発明の画像表示装置では、前記ディスプレイに表示された複数の代表画像のうちの１つを決定する決定手段をさらに備えており、前記表示制御手段は、前記決定手段で１つの代表画像が決定された場合に、前記１つの代表画像に対応したグループに含まれる複数の画像を前記ディスプレイに一覧表示してもよい。
【００２０】
この構成によると、各グループに含まれる全ての画像を一覧表示することにより、そのグループの画像を確認することができる。
【発明を実施するための最良の形態】
【００２１】
以下、本発明の実施の形態について、図面を参照しつつ説明する。図１は、本発明の実施の形態に係る画像表示装置の概略構成を示す図である。
【００２２】
図１に示す画像表示装置１は、ディスプレイ１１と、スピーカー１２と、汎用のコンピュータを含む制御ユニット３０とを有している。また、制御ユニット３０には、マウス１３と、キーボード１４と、データ読込部１５とが接続されている。画像表示装置１では、データ読込部１５において、スマートメディア、コンパクトフラッシュ(登録商標）、ＭＯ等の各種メディアに記憶された画像データを読み込むことが可能であり、読み込まれた画像データに対応した画像をディスプレイ１１に表示することができる。
【００２３】
制御ユニット３０には、画像表示装置１に係る各種動作の制御プログラム（ディスプレイ１１の表示内容を制御する画像表示プログラムを含む）やデータなどが格納されたＲＯＭ、画像表示装置１の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、画像データ記憶部３１と、文言エッセンス記憶部３２と、画像認識部３３と、画像データ作成部３４と、報知制御部３５と、表示制御部３６とが形成されている。
【００２４】
画像データ記憶部３１は、データ読込部１５で読み込まれた画像データを記憶する。ここで、データ読込部１５において、複数のメディアに記憶された画像データが読み込まれた場合には、画像データ記憶部３１では、各メディアに記憶されていた複数の画像毎のグループに分けて記憶される。
【００２５】
文言エッセンス記憶部３２は、画像データ記憶部３１に記憶された各グループに含まれる複数の画像に関連する文言エッセンスを記憶する。ここで、文言エッセンス記憶部３２に記憶される文言エッセンスは、各メディアから画像データが読み込まれる際に、操作者によって入力されたものである。文言エッセンスとしては、旅行先や参加者の思い出のエッセンスなどが用いられる。
【００２６】
画像認識部３３は、ディスプレイ１１に表示された画像中にどのような画像が含まれているかを認識する。つまり、画像認識部３３では、表示画像中に人物が含まれている場合には、その表示画像中の人物の顔や口に対応した部分を認識することができる。ここで、本実施の形態では、後述するように、１つの代表画像を指定するためのクリック操作が行われた際に、カーソルで指し示された人物の口に対応した部分が文言エッセンスにあわせて動かされるので、画像認識部３３は、その人物を認識することができる。
【００２７】
画像データ作成部３４は、ディスプレイ１１に表示された代表画像中の一部分を文言エッセンスにあわせて変化させるための画像データを作成する。本実施の形態では、表示画像中の人物の口に対応した部分を変化させるので、画像データ作成部３４は、画像認識部３３で認識された人物の口の形に基づいて、その口が閉じた状態から開いた状態までの間の複数段階の口の形に対応した画像データを作成する（図６参照）。
【００２８】
報知制御部３５は、スピーカー１２から報知される内容を制御する。つまり、報知制御部３５は、１つのグループの代表画像が指定された場合に、そのグループに対応した文言エッセンスをスピーカー１２から報知する。
【００２９】
表示制御部３６は、ディスプレイ１１に表示される画像の内容を制御する。つまり、表示制御部３５は、複数のメディアから画像データが読み込まれた場合には、画像データ記憶部３１に記憶された複数の画像データに対応した画像のうち、各グループの代表画像をディスプレイ１１に表示する。本実施の形態では、各グループの代表画像としては、そのグループで最もファイル番号が小さい画像データに対応した画像が選択される。また、表示制御部３５は、１つのグループの代表画像が決定された場合には、そのグループに含まれる複数の画像を一覧表示する。
【００３０】
次に、画像表示装置１における画像の検索方法について、図２を参照して説明する。図２は、画像表示装置における画像の検索方法の手順を示すフローチャートである。
【００３１】
まず、各メディアに記憶された画像データの読み込みが行われる（ステップＳ１０１）。そして、各メディアからの画像データの読み込みが終了する度に、図３（ａ）に示す文言エッセンス入力画面４１がディスプレイ１１に表示されるので、操作者はキーボード１４を用いて、そのメディアから読み込まれた複数の画像に関連した文言エッセンスの入力を行う（ステップＳ１０２）。文言エッセンスの入力が終了し、ＯＫボタン４１ａを押すと、図３（ｂ）に示すように、画像データの読み込みを継続するか否かを確認するウィンドウ４２が表示されるので、操作者は、ＹＥＳボタン４２ａまたはＮＯボタン４２ｂのいずれかを押す（ステップＳ１０３）。
【００３２】
ＹＥＳボタン４２ａが押された場合（Ｓ１０３：ＹＥＳ）には、先のメディアを取り出し、次のメディアを装填する旨の指示がディスプレイ１１に表示されるので、操作者はその指示に従って、ステップＳ１０１に戻り、次のメディアからの画像データの読み込みを行う。
【００３３】
本実施の形態では、図４に示すように、５個のメディアからの画像データの読み込みが行われた場合について説明する。ここで、各メディアから読み込まれた複数の画像データは、それぞれ１つのグループを構成する。つまり、１番目のメディアから読み込まれたファイル番号００１〜００８の画像データはグループＡを構成し、２番目のメディアから読み込まれたファイル番号００９〜０１８の画像データはグループＢを構成し、以下のグループＣ〜Ｅについても同様である。そして、各グループに対して、互いに異なる文言エッセンスが入力される。
【００３４】
一方、ＮＯボタン４２ｂが押された場合（Ｓ１０３：ＮＯ）には、全ての画像データの読み込みが終了したことになるので、各グループの１つの代表画像を含む代表画像表示画面４３がディスプレイ１１に表示される（ステップＳ１０４）。本実施の形態では、上述したように、各グループに含まれる複数の画像のうちでファイル番号が最も小さい画像が各グループの代表画像になるので、図５（ａ）に示すように、ファイル番号００１、００９、０１９、０２６、０３６の５個の画像が表示される。
【００３５】
操作者は、ディスプレイ１１に表示された代表画像表示画面４３において、５個の代表画像を見ながら、検索対象である特定画像を検索することになる。ここで、操作者が、マウス１３によって、カーソルを代表画像表示画面４３の５個の代表画像のいずれかの上に移動すると、カーソルのある代表画像の枠が太線に変わる。図５（ｂ）では、ファイル番号００９の画像の枠が太線に変わった状態が図示されている。
【００３６】
その後、図５（ｂ）に示すように、カーソルがファイル番号００９の画像中の３人のうちの中央の人物を指し示した状態でクリック操作が行われると、その１つの代表画像が指定される（ステップＳ１０５）。すると、指定された１つの代表画像が含まれるグループに対応した文言エッセンスがスピーカー１２から報知される。また、このとき、クリック操作が行われた際に、カーソルで指し示された人物の口に対応した部分が、スピーカー１２から報知される文言エッセンスにあわせて動く（ステップＳ１０６）。従って、図６（ａ）〜図６（ｃ）に示すように、指定された１つの代表画像中の３人のうちの中央の人物が口を動かしながら文言エッセンスを話しているように見える。
【００３７】
操作者は、クリック操作で指定した代表画像に対応した文言エッセンスを聞くことにより、特定画像がそのグループに含まれているか否かを判断する。そして、操作者が、スピーカー１２から報知された文言エッセンスを聞いて、特定画像がそのグループに含まれていないと判断すると、カーソルを他の代表画像の上に移動しクリック操作を行うことにより、他の代表画像を指定する。すると、上述と同様に、指定された１つの代表画像が含まれるグループに対応した文言エッセンスがスピーカー１２から報知されると共に、クリック操作が行われた際に、カーソルで指し示された人物の口に対応した部分が、スピーカー１２から報知される文言エッセンスにあわせて動く。
【００３８】
このようにして、操作者は、１または複数の代表画像を指定する操作を繰り返しながら、各グループに対応した文言エッセンスを聞くことにより、特定画像が含まれるグループを見つける。そして、特定画像が含まれるグループが見つかると、カーソルがそのグループの代表画像の上にある状態でダブルクリック操作を行うことにより、その１つの代表画像に決定する（ステップＳ１０７）。すると、決定された１つの代表画像に対応したグループに含まれる複数の画像が一覧表示されたグループ画像表示画面がディスプレイ１１に表示される（ステップＳ１０８）。ここで、図７には、代表画像表示画面４３で、カーソルがファイル番号００９の代表画像の上にある状態でダブルクリック操作が行われた場合におけるグループ画像表示画面４４が図示されており、グループ画像表示画面４４には、ファイル番号００９〜０１８の画像が表示されている。そして、グループ画像表示画面４４に特定画像が表示されている場合には、操作者は特定画像を確認することにより画像の検索は終了する（Ｓ１０９：ＮＯ）。
【００３９】
一方、グループ画像表示画面４４に特定画像が表示されていない場合には、特定画像は異なるグループ内にあると考えられるので、画像の検索をやり直すために、戻るボタン４４ａを押す（Ｓ１０９：ＹＥＳ）。すると、図５（ａ）に示す代表画像表示画面４３がディスプレイ１１に再び表示されるので、上述と同様の手順で、特定画像の検索をやり直す。
【００４０】
以上説明したように、本実施の形態の画像表示装置１では、操作者は、各代表画像が含まれるグループに対応した文言エッセンスを聞くことにより、そのグループの画像の内容を確認しながら、特定画像を容易に検索することができる。また、代表画像中の人物の画像が口を動かしながら音声ガイドをするので、まるで旅行の参加者に直接ガイドされているように感じながら、特定画像を検索することができる。このように、画像の検索作業にアミューズメント性が付加されるので、操作者は画像の検索を楽しんで行うことができる。また、代表画像中に複数の人物が含まれている場合には、口を動かしながら音声ガイドをする人物を適宜決定することができる。
【００４１】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、代表画像中の人物の口が文言エッセンスにあわせて動く場合について説明しているが、代表画像中の一又は複数の部分が文言エッセンスにあわせて動く場合に限定されず、代表画像中の一又は複数の部分がスピーカーから文言エッセンスが報知される間に変化すればよい。
【００４２】
また、上述の実施の形態では、指定された代表画像中の複数の人物のうちでカーソルで指し示された人物の口が文言エッセンスにあわせて動く場合について説明しているが、代表画像が指定された際のカーソルの位置に関係なく、代表画像の所定位置近傍の人物の口が文言エッセンスにあわせて動いてもよい。つまり、文言エッセンスにあわせて口が動く人物は代表画像の中央位置近傍に配置された人物であるという設定が画像認識部に行われている場合には、その位置に対応した人物の口が文言エッセンスにあわせて動くことになる。
【００４３】
また、上述の実施の形態では、代表画像の指定はクリック操作で行われ、代表画像の決定はダブルクリック操作で行われているが、代表画像の指定及び決定はその他の方法で行われてもよい。
【００４４】
また、上述の実施の形態では、特定画像が含まれるグループが見つかった場合に、そのグループの全ての画像がディスプレイに一覧表示されているが、そのグループの全ての画像を所定時間間隔で（例えば１秒おきに）順次ディスプレイに表示してもよい。つまり、上述の実施の形態と同様に、代表画像表示画面４３で、カーソルがファイル番号００９の代表画像の上にある状態でダブルクリック操作が行われた場合に、ファイル番号００９に対応したグループに含まれるファイル番号００９〜０１８の画像が、所定時間間隔で１つずつディスプレイ１１に表示されてもよい。
【図面の簡単な説明】
【００４５】
【図１】本発明の実施の形態に係る画像表示装置の概略構成を示す図である。
【図２】画像表示装置における画像の検索方法の手順を示すフローチャートである。
【図３】ディスプレイに表示される画面の一例を示す図である。
【図４】複数の画像データの一覧を示す図である。
【図５】ディスプレイに表示される画面の一例を示す図である。
【図６】代表画像中の人物の口が動く様子を示す図である。
【図７】ディスプレイに表示される画面の一例を示す図である。
【符号の説明】
【００４６】
１  画像表示装置
１１  ディスプレイ
１２  スピーカー（報知手段）
１３  マウス（指定手段；決定手段）
３１  画像データ記憶部（画像データ記憶手段）
３２  文言エッセンス記憶部（文言エッセンス記憶手段）
３３  画像認識部
３４  画像データ作成部
３５  報知制御部（報知制御手段）
３６  表示制御部（表示制御手段）
【図１】
2007208351.tif 000003
【図２】
2007208351.tif 000004
【図３】
2007208351.tif 000005
【図４】
2007208351.tif 000006
【図５】
2007208351.tif 000007
【図６】
2007208351.tif 000008
【図７】
2007208351.tif 000009